(57)【要約】【課題】記録された番組を速度の異なる複数の方式で再生する場合に対応して夫々の再生時間を表示する表示手段を備えた放送系番組受信記録再生装置を提供する。【解決手段】放送系の番組および番組情報を受信する受信手段と、前記受信した番組および番組情報を夫々記録する番組記録手段２および番組情報記録手段３と、前記記録された番組情報を再生する番組情報再生手段と、前記記録された番組を速度の異なる複数の方式で再生する番組再生手段４と、現在時刻情報を得る時計６と、前記記録された番組を夫々の方式で再生する再生時間を夫々算出する再生時間算出手段１３、１４と、前記算出された夫々の再生時間を表示する表示手段７、１０とを設けた。【選択図】　　　　図１
2004032590.tif 000002
【特許請求の範囲】
【請求項１】
放送系の番組および番組情報を受信する受信手段と、前記受信した番組および番組情報を夫々記録する番組記録手段および番組情報記録手段と、前記記録された番組情報を再生する番組情報再生手段と、前記記録された番組を速度の異なる複数の方式で再生する番組再生手段と、現在時刻情報を得る時計と、前記記録された番組を夫々の方式で再生する再生時間を夫々算出する再生時間算出手段と、前記算出された夫々の再生時間を表示する表示手段とを備えたことを特徴とする放送系番組受信記録再生装置。
【請求項２】
番組の視聴予約する番組予約手段と、記録された番組の再生を予約する再生予約手段とを備え、予約された視聴番組の視聴時刻と予約した番組の再生時刻が重なるときは、再生する速度を変えて前記視聴時刻と再生時刻とが重ならなくなる場合に表示手段にそれを表示するようにした請求項１の放送系番組受信記録再生装置。
【請求項３】
放送系の番組および番組情報を受信する受信手段と、前記受信した番組および番組情報を夫々単位時間当たり異なる容量で記録する番組記録手段および番組情報記録手段と、前記記録された番組情報を再生する番組情報再生手段と、前記記録された番組を再生する番組再生手段と、現在時刻情報を得る時計と、前記記録された番組を夫々の方式で記録する必要記録媒体容量を夫々算出する記録媒体容量算出手段と、前記算出された夫々の記録媒体容量を表示する表示手段とを備えたことを特徴とする放送系番組受信記録再生装置。
【請求項４】
予約された記録番組の記録容量が記録媒体の残り容量より多い場合に、記録方式を変えて記録媒体の残り容量で記録できるときに表示手段にそれを表示するようにした請求項３の放送系番組受信記録再生装置。
【発明の詳細な説明】
【０００１】
【発明の属する技術分野】
この発明は放送系番組受信記録再生装置に係わり、特に、ランダムアクセス可能な記録媒体に番組および番組情報を記録可能な受信機に好適な放送系番組受信記録再生装置に関する。
【０００２】
【従来の技術】
放送系の番組をランダムアクセス可能な記録媒体に記録するホームサーバにおいて、記録番組の収録時間や残りの記録可能な時間を直観的に分かりやすくするように、再生に要する時間や追加記録可能な時間を利用者の視聴状況に応じて表示面積の大小で表すようにした放送系番組受信記録再生装置が特開２００１−１１１９２９に提案されている。
【０００３】
図５に上記特開２００１−１１１９２９に提案された放送系番組受信記録再生装置の構成を示す。図に示すアンテナ１により番組情報と番組自体の信号が受信され、図示していないチューナで復調した後、リモーチコントローラ（以下リモコンと称する）の各種スイッチ１１の一つである録画開始スイッチを押した場合に番組情報は番組情報記録手段３がＤＶＤ等の記録媒体に記録し、また番組自体は番組記録手段２がＭＰＥＧ（Ｍｏｖｉｎｇ　Ｐｉｃｔｕｒｅ　Ｅｘｐｅｒｔｓ　Ｇｒｏｕｐ）　２方式で圧縮してＤＶＤ等の記録媒体に記録する。
【０００４】
表示制御手段７はリモコンの各種スイッチ１１の命令に従って、現在時刻を時計からなる時刻取得手段６から取得し、番組情報記録手段３から記録済み番組の番組表を取得し、番組記録手段２から記録番組を取得する。そして、夫々のデータから記録番組再生手段４を用いて記録番組を再生し、再生時間長算出手段１６を用いて再生に要する時間長を算出し、追加書き込み可能時間算出手段５を用いて追加書き込み可能時間を算出して、放送系番組受信記録再生装置本体の表示装置１０に表示・制御する。
【０００５】
但し、記録番組再生手段４は、記録されたＭＰＥＧ２形式の圧縮データを伸張する専用ハードウエアで、再生計時記憶手段１２を用いて再生視聴したい時間を管理し、番組情報記録手段３内に視聴管理ファイルを削成・更新する。さらに、表示制御手段７はリモコンの各種スイッチ１１の命令に従って、指定された番組情報の記録を記録番組情報削除手段９により削除させ、指定された番組の記録を記録番組削除手段８により削除させる。そして、この装置では、追加記録可能な時間の計算は、記録媒体の残り容量と時間あたりに要する平均的な記憶容量との商で求めている。残り再生時間は番組再生時間と、再生済み時間との差により求めている。
【０００６】
【発明が解決しようとする課題】
上記した従来の装置では残り再生時間の計算において、再生済み時間が考慮されている。しかしながら、再生手段が倍速再生のような記録媒体の再生時間を増減させる機能を有する場合に対する対応がなされていない。そのため、残り再生時間の計算において、実際の視聴状況に合致しない場合が発生するという問題があった。
【０００７】
この発明は上記した点に鑑みてなされたものであって、その目的とするところは、記録された番組を速度の異なる複数の方式で再生する場合に対応して夫々の再生時間を表示する表示手段を備えた放送系番組受信記録再生装置を提供することにある。
【０００８】
【課題を解決するための手段】
この発明の放送系番組受信記録再生装置は、放送系の番組および番組情報を受信する受信手段と、前記受信した番組および番組情報を夫々記録する番組記録手段および番組情報記録手段と、前記記録された番組情報を再生する番組情報再生手段と、前記記録された番組を速度の異なる複数の方式で再生する番組再生手段と、現在時刻情報を得る時計と、前記記録された番組を夫々の方式で再生する再生時間を夫々算出する再生時間算出手段と、前記算出された夫々の再生時間を表示する表示手段とを備えたものである。
【０００９】
また、前記放送系番組受信記録再生装置において、番組の視聴予約する番組予約手段と、記録された番組の再生を予約する再生予約手段とを備え、予約された視聴番組の視聴時刻と予約した番組の再生時刻が重なるときは、再生する速度を変えて前記視聴時刻と再生時刻とが重ならなくなる場合に表示手段にそれを表示するように構成したものである。
【００１０】
また、この発明の放送系番組受信記録再生装置は、放送系の番組および番組情報を受信する受信手段と、前記受信した番組および番組情報を夫々単位時間当たり異なる容量で記録する番組記録手段および番組情報記録手段と、前記記録された番組情報を再生する番組情報再生手段と、前記記録された番組を再生する番組再生手段と、現在時刻情報を得る時計と、前記記録された番組を夫々の方式で記録する必要記録媒体容量を夫々算出する記録媒体容量算出手段と、前記算出された夫々の記録媒体容量を表示する表示手段とを備えたものである。
【００１１】
また、前記放送系番組受信記録再生装置において、予約された記録番組の記録容量が記録媒体の残り容量より多い場合に、記録方式を変えて記録媒体の残り容量で記録できるときに表示手段にそれを表示するように構成したものである。
【００１２】
【発明の実施の形態】
この発明の実施例である放送系番組受信記録再生装置を図面に基づいて説明する。図１はこの発明の実施例である放送系番組受信記録再生装置を示すブロック図である。
【００１３】
本発明においては、図５で説明した従来の装置における再生時間長算出手段１６の代わりに夫々の再生方式に応じた再生時間長算出手段Ａ１３および再生時間長算出手段Ｂ１４を備えており、さらに、どの再生時間長算出手段を選択するかを決定する再生時間算出法選択手段１５を具備している。他の構成は図５で説明した装置と同様である。
【００１４】
そして、記録番組再生手段４は現在選択もしくは予約されている再生方式を情報として保持しており、再生時間算出法選択手段１５は記録番組再生手段４から再生方式の情報を取得して、最適な再生時間長算出手段を特定する。このように特定された再生時間長算出手段によって、再生に要する時間長が算出され、表示制御手段７が再生に要する時間長を表示装置１０に表示・制御する。
【００１５】
番組の再生に要する時間長は矩形の大きさにより表示するが、前述の従来の発明のものと異なり、同一番組であっても図２に示すように、再生方式ＡまたはＢによる再生時間に応じて矩形の大きさを変化させる。
【００１６】
ＥＰＧ（電子番組ガイド）を使用して視聴番組および再生番組を予約する場合、予約番組視聴時間と記録媒体再生時間が重なる場合は、再生手段の再生方式を変えて再生時間を計算してバッテイングが回避できるときはその旨を表示装置１０に表示する。図３に予約番組視聴時間と記録媒体再生を設定した場合の処理の動作を示し、図４に表示例を示す。
【００１７】
先ず、予約番組視聴時間と記録媒体再生を設定する場合、先ず、ステップＳ１において、リモコンの各種スイッチ１１により表示画面を見ながら予約番組視聴時間と記録媒体再生を設定する。
【００１８】
次に、ステップＳ２において、再生時間長算出手段Ａにより再生終了時間を算出してステップＳ３に移行する。ステップＳ３では予約番組の開始時間が再生終了時間より前が否かが判断され、前である場合はステップＳ４に移行し、前でない場合はステップＳ９に移行する。
【００１９】
ステップＳ４では予約番組と再生終了時刻が重なる旨を表示し、さらに、ステップＳ５において、再生時間長算出手段Ｂにより再生終了時間を算出してステップＳ６に移行する。ステップＳ６では予約番組の開始時間が再生終了時間より前が否かが判断され、前である場合はステップＳ７に移行し、予約番組と再生終了時刻が重なる旨を表示してステップＳ９に移行する。
【００２０】
予約番組の開始時間が再生終了時間より前でない場合はステップＳ８に移行して再生方式を変更してステップＳ９に移行する。ステップＳ９では予約番組と再生終了時刻を各再生方式および優先順序に従って表示してこのルーチンを終了する。
【００２１】
図４には上記動作において、通常再生では予約番組と再生終了時刻が重なるが、スピード再生では重ならない場合が示されており、この画面上において、リモコンの各種スイッチ１１により、１予約優先、２・再生優先、３．スピード再生、４．予約キャンセル、５．再生キャンセルのいずれかを選択できる。
【００２２】
実施例では視聴を対象とした予約機能について説明したが、番組の記録を対象とした予約機能にこの発明を適用できる。その場合、予約した番組の記録時間に対する記憶容量の算出手段を可変とし、記録媒体の記録容量に応じて最適な記録方式を使用者に提示し、選択可能とすることができる。
【００２３】
【発明の効果】
この発明の放送系番組受信記録再生装置によれば、表示される再生時間が再生方式に応じたものとなるため、使用者はより的確に残り再生時間を知ることができる。
【００２４】
ＥＰＧを利用する装置に本発明を適用することにより、番組予約と再生時間の組み合わせを最適化することができ、利用者に限られた時間の有効活用を提示することができる。
【図面の簡単な説明】
【図１】この発明の実施例である放送系番組受信記録再生装置を示すブロック図である。
【図２】同放送系番組受信記録再生装置の表示画面の例を示す図である。
【図３】同放送系番組受信記録再生装置の動作を示すフローチャートである。
【図４】同放送系番組受信記録再生装置の表示画面の例を示す図である。
【図５】従来の放送系番組受信記録再生装置の例を示すブロック図である。
【符号の説明】
１　アンテナ
２　番組記憶手段
３　番組情報記憶手段
４　記録番組再生手段
５　追加書込み可能時間算出手段
６　時刻取得手段
７　表示制御手段
８　記録番組削除手段
９　記録番組情報削除手段
１０　表示装置
１１　各種スイッチ
１２　再生計時記憶手段
１３　再生時間長算出手段Ａ
１４　再生時間長算出手段Ｂ
１５　再生時間算出法選択手段
１６　再生時間長算出手段
【図１】
2004032590.tif 000003
【図２】
2004032590.tif 000004
【図３】
2004032590.tif 000005
【図４】
2004032590.tif 000006
【図５】
2004032590.tif 000007